(57)【要約】【課題】  カード挿入式拡充カード及び積重ね式拡充カードを混ぜて使用でき、拡充カードを便利に分解・取付けすることができる混合式拡充性を持つ工業用パソコンの組立構造を提供する。【解決手段】  台座１と蓋体２とを結合すると、五つの側面が閉鎖される矩形の収容空間Ａを形成し、また、側蓋５を前記台座１及び蓋体２と結合すると、前記収容空間Ａが閉鎖される。なお、メンボード組３のメンボード３１上にあるソケット３４に、複数枚の積重ね式拡充カード４Ａを積重ねて挿入し設置することができ、また、メンボード３１にあるソケット３５に鉛直に挿入される転接カード３６上にある各ソケット３６１に、複数枚のカード挿入式拡充カード４Ｂをメンボード３１と平行に挿入して設置することができる。そうすると、積重ね式拡充カードとカード挿入式拡充カードとの拡充用空間が共用でき、両カードを混ぜて使用することができる。【選択図】    図２
0003102510.tif 000002
【実用新案登録請求の範囲】
【請求項１】
互いに直交し連接する基板および前板を有し、前記基板の前記前板の対向側には仕切り板を有する台座と、
前記台座に応じて設けられ、前記台座の基板と前板との対向側には上板と後板とがそれぞれ設けられ、前記上板及び前記後板と直交し連接する側板を有し、前記台座と結合すると、五つの側面を閉鎖し矩形の収容空間を形成する蓋体と、
前記側板の対向側に設けられ、前記台座及び蓋体と結合して前記収容空間を閉鎖し、多数の結合孔が開けられている側蓋と、
前記収容空間内に収容され、前記台座の基板上に固定され、メンボードを有し、前記メンボードには鉛直に設置される転接カードが設けられているメンボード組と、
を備える混合式拡充性を持つ工業用パソコンの組立構造において、
前記メンボードに電源組と多数のパソコンソケットとが設けられ、各パソコンソケットが前記台座の仕切り板に結合し、仕切り板と前記蓋体の後板とを貫通してパソコン周辺装置と接続し、積重ね式拡充カードをメンボードと平行に設置し前記メンボードに挿入するために、前記メンボードのパソコンソケットに隣接する側にソケットが設けられ、且つ拡充の周辺装置と接続するために、前記ソケットに挿入される積重ね式拡充カードの拡充用ソケットが前記側蓋の結合孔から突き出し、前記転接カードを鉛直に挿入するために、前記メンボードには前記パソコンソケットの反対側にソケットが設けられ、
カード挿入式拡充カードをメンボードと平行に挿入しメンボードと接続するために、前記転接カードに多数の拡充用ソケットが間隔を空けて設置され、且つ拡充の周辺装置と接続するために、拡充用ソケットに挿入されるカード挿入式拡充カードの拡充用ソケットが前記側蓋の結合孔から突き出ることを特徴とする混合式拡充性を持つ工業用パソコンの組立構造。
【請求項２】
積重ね式拡充カードを挿入し設置するために、前記メンボード上のソケットの仕様はＰＣ１０４／１０４+であることを特徴とする請求項１に記載の混合式拡充性を持つ工業用パソコンの組立構造。
【請求項３】
カード挿入式拡充カードを挿入し設置するために、前記転接カードにある多数の拡充用ソケットの仕様はＰＣＩ／ＩＳＡであることを特徴とする請求項１に記載の混合式拡充性を持つ工業用パソコンの組立構造。
【請求項４】
前記台座にある仕切り板と前記蓋体にある後板との前記メンボードにある各パソコンソケットに対応する箇所には、各パソコンソケットを挿通するために貫通孔がそれぞれ開けられていることを特徴とする請求項１に記載の混合式拡充性を持つ工業用パソコンの組立構造。
【考案の詳細な説明】
【技術分野】
【０００１】
本考案は、混合式拡充性を持つ工業用パソコンの組立構造に関し、特にカード挿入式拡充カード及び積重ね式拡充カードを同時に増設でき、配線及び分解・取付けが容易にできる工業用パソコンの組立構造に関する。
【背景技術】
【０００２】
目下、工業用パソコンの拡充カードの分解・取付け方式には、カード挿入式と積重ね式との二種類がある。
カード挿入式の分解・取付け方式では、水平に置くメンボード上に多数のソケットを設け、拡充カードがカード挿入式（すなわち、ＰＣＩ／ＩＳＡ又はコンパクトＰＣＩ仕様）の方式によりメンボード上に分解・取付けされる。
【０００３】
カード挿入式の分解・取付け方式により拡充カードを増設する場合には、メンボードに設置されるソケットの数量の制限により、各ソケットが一つの拡充カードだけを収容し、且つ増設の拡充カードがメンボードと直交する。すなわち、メンボードの寸法は設置できるソケットの数量、ならびに増設できる拡充カードの数量に影響する。
【０００４】
なお、積重ね式の分解・取付け方式では、メンボード上に接続ソケットを設置し、拡充カードが積重ね式（すなわち、ＰＣ１０４／１０４+仕様）の方式によりメンボード上に分解・取付けされ、且つ各拡充カードには接続ソケットが設けてあるので、各拡充カードをメンボードの上の空間に一つ一つ水平に積重ねることができ、拡充カードの増設できる数量がメンボードの寸法に影響されない。
【０００５】
上記の二種類の拡充カードの分解・取付け方式は、ＰＣＩ／ＩＳＡ仕様およびＰＣ１０４／１０４+仕様の拡充カードの異なりに応じて使い分けられる。この二種類の拡充カードの分解・取付け方式は異なり、すなわち、ＰＣＩ／ＩＳＡ仕様の拡充カードがメンボードに鉛直に挿入され、ＰＣ１０４／１０４+仕様の拡充カードがメンボードの上の空間に一つ一つ水平に積重ねられる。この二種類の異なる仕様を持つ拡充カードの拡充空間が共用できないので、目下の工業用パソコンのケースは単に一仕様の拡充カードを採用する。上記の二種類の仕様の拡充カードを使用すれば、二種類の異なる構造を持つ工業用パソコンのケースを使用することが必要になるので、極めて不便である。
【考案の開示】
【考案が解決しようとする課題】
【０００６】
本考案の目的は、カード挿入式拡充カード及び積重ね式拡充カードを混ぜて使用できる混合式拡充性を持つ工業用パソコンの組立構造を提供することにある。
本考案の次の目的は、蓋体を取り外すだけで収容空間が開放されて、拡充カードを便利に分解・取付けすることができる混合式拡充性を持つ工業用パソコンの組立構造を提供することにある。
【課題を解決するための手段】
【０００７】
上記目的を達成するためになされた本考案の工業用パソコンの組立構造は、互いに直交し連接する基板および前板を有し、前記基板の前記前板の対向側には仕切り板を有する台座と、前記台座に応じて設けられ、前記台座の基板と前板との対向側には上板と後板とがそれぞれ設けられ、前記上板及び前記後板と直交し連接する側板を有し、前記台座と結合すると、五つの側面を閉鎖し矩形の収容空間を形成する蓋体と、前記側板の対向側に設けられ、前記台座及び蓋体と結合して前記収容空間を閉鎖し、且つ多数の結合孔が開けられている側蓋と、前記収容空間内に収容され、前記台座の基板上に固定され、メンボードを有し、前記メンボードには鉛直に設置される転接カードが設けられているメンボード組とを備える混合式拡充性を持つ工業用パソコンの組立構造である。
【０００８】
前記メンボードには電源組と多数のパソコンソケットとが設けてあり、各パソコンソケットが前記台座の仕切り板に結合し、仕切り板と前記蓋体の後板とを貫通してパソコン周辺装置と接続する。積重ね式拡充カードをメンボードと平行に設置し前記メンボードに挿入するために、前記メンボードのパソコンソケットに隣接する側にはソケットが設けてあり、且つ拡充の周辺装置と接続するために、前記ソケットに挿入される積重ね式拡充カードの拡充用ソケットが前記側蓋の結合孔から突き出し、なお、前記転接カードを鉛直に挿入するために、前記メンボードには前記パソコンソケットの反対側にソケットが設けてある。
【０００９】
カード挿入式拡充カードをメンボードと平行に挿入しメンボードと接続するために、前記転接カードには多数の拡充用ソケットが間隔を空けて設置してあり、且つ拡充の周辺装置と接続するために、拡充用ソケットに挿入されるカード挿入式拡充カードの拡充用ソケットが前記側蓋の結合孔から突き出す。
【００１０】
本考案に係る混合式拡充性を持つ工業用パソコンの組立構造によれば、次のような効果がある。
（イ）カード挿入式拡充カード及び積重ね式拡充カードを混ぜて使用することができる。
（ロ）蓋体を取り外すだけで収容空間が開放されて、拡充カードを便利に分解・取付けすることができる。
【考案を実施するための最良の形態】
【００１１】
以下、添付図面を参照して本考案の好適な実施の形態を詳細に説明する。
図１から図６を参照する。本考案の一実施例に係る混合式拡充性を持つ工業用パソコンの組立構造は、互いに直交し連接する基板１１および前板１２を有し、前記基板１１の前記前板１２の対向側には仕切り板１３を有する台座１と、前記台座１に応じて設けられ、前記台座１の基板１１と前板１２との対向側には上板２１と後板２２とがそれぞれ設けられ、前記上板２１及び前記後板２２と直交し連接する側板２３を有し、前記台座１と結合すると、五つの側面を閉鎖し矩形の収容空間Ａを形成する蓋体２と、前記側板２３の対向側に設けられ、前記台座１及び蓋体２と結合して前記収容空間Ａを閉鎖し、且つ多数の結合孔５１が開けられている側蓋と、前記収容空間Ａ内に収容され、前記台座１の基板１１上に固定され、メンボード３１を有し、前記メンボード３１には鉛直に設置される転接カード３６が設けられているメンボード３組とを含む。
【００１２】
前記メンボード３１には電源組３２と多数のパソコンソケット３３とが設けてあり、前記各パソコンソケット３３が前記台座１の仕切り板１３に結合し、仕切り板１３と前記蓋体２の後板２２とを貫通しパソコン周辺装置と接続し、積重ね式拡充カード（すなわち、ＰＣ１０４／１０４+仕様）４Ａをメンボード３１と平行に設置し前記メンボード３１に挿入して設置するために、前記メンボード３１のパソコンソケット３３に隣接する側にはソケット３４が設けてあり、且つ拡充の周辺装置と接続するために、前記ソケット３４に挿入される積重ね式拡充カード４Ａの拡充用ソケット４１Ａが前記側蓋５の結合孔５１から突き出し、なお、前記転接カード３６を鉛直に挿入し設置するために、前記メンボード３１には前記パソコンソケット３３の反対側にソケット３５が設けてある。
【００１３】
カード挿入式（すなわち、ＰＣＩ／ＩＳＡ仕様）拡充カード４Ｂをメンボード３１と平行に挿入しメンボード３１と接続するために、前記転接カード３６には多数の拡充用ソケット３６１が間隔を空けて設置してあり、且つ拡充の周辺装置と接続するために、拡充用ソケット３６１に挿入されるカード挿入式拡充カード４Ｂの拡充用ソケット４１Ｂが前記側蓋５の結合孔５１から突き出す。
【００１４】
本実施例では積重ね式（ＰＣ１０４／１０４+仕様）拡充カード用ソケット３４を持つメンボード３１上には、転接カード３６を鉛直に挿入し設置するためのソケット３５が設けてあり、且つカード挿入式（ＰＣＩ／ＩＳＡ仕様）拡充カード４Ｂを前記転接カード３６と直交させて挿入し設置するために、前記転接カード３６には多数の拡充用ソケット３６１が設けてある。すなわち、カード挿入式拡充カード４Ｂがメンボード３１の上方の空間中に水平に設置される。そうすると、カード挿入式拡充カード４Ｂを増設する場合には、積重ね式拡充カード４Ａの拡充用空間を利用できるようになる。すなわち、本実施例によれば、積重ね式拡充カード４Ａやカード挿入式拡充カード４Ｂを増設する場合には、両方ともメンボード３１の上方の収容空間Ａを利用することができる。
【００１５】
そうすると、本実施例に係るメンボード３１上に拡充カードを増設する場合には、次のような増設方式がある。図４に示すように、ＰＣ１０４／１０４+仕様の拡充カード４Ａをソケット３４に挿入し設置することができ、また、ＰＣＩ／ＩＳＡ仕様の拡充カード４Ｂを転接カード３６にあるソケット３６１に挿入し設置することができる。したがって、本実施例に係るメンボード３１によれば、異なる仕様の拡充カード４Ａ、４Ｂを混せて使用することができる。又は、図５に示すように、メンボード３１上にあるソケット３４に、複数枚のＰＣ１０４／１０４+仕様の拡充カード４Ａを積重ねて挿入し設置することができる。又は、図６に示すように、メンボード３１にあるソケット３５に鉛直に挿入される転接カード３６上にある各ソケット３６１に、複数枚のＰＣＩ／ＩＳＡ仕様の拡充カード４Ｂを挿入し設置することができる。
【００１６】
なお、各種の拡充カード４Ａ、４Ｂに設ける拡充用ソケット４１Ａ、４１Ｂは、同じ側に位置し、側蓋５の異なる結合孔５１から混ざって突き出ることができ、拡充の周辺装置がそれと接続でき、異なる仕様の拡充カードを通用できる効果を達成することができる。なお、前記メンボード３１にあるパソコンソケット３３は蓋体の後板２２から突き出してパソコン装置と接続し、二種類の接続ソケットが異なる側で別々に設置されるので、拡充カードを分解・取付けする場合には、誤接続する可能性がなく、分解・取付けスピードを速めることができる。
【００１７】
また、本実施例では、台座１と、蓋体２と、側蓋５とが矩形の収容空間Ａを形成し、前記蓋体２は、一体化された上板２１と、後板２２と、側板２３とを有し、前記収容空間Ａの三つの側面を閉鎖し、且つメンボード組３と各拡充カード４Ａ、４Ｂとが別々に台座１と側蓋５とに固定され、前記蓋体２と結合しないので、拡充カード４Ａ、４Ｂを分解・取付けする場合には、蓋体２を取り外すだけで収容空間Ａが開放される。そうすると、異なる方法で分解・取付けする拡充カード４Ａ、４Ｂの充分な分解・取付けの作業空間を確保でき、分解・取付け作業がもっと便利になる。
【図面の簡単な説明】
【００１８】
【図１】本考案の一実施例による工業用パソコンの組立構造を示す斜視図である。
【図２】本考案の一実施例による工業用パソコンの組立構造を示す分解斜視図である。
【図３】図１における３-３線断面図である（拡充カードの図示を省略した）。
【図４】図１における４-４線断面図であり、カード挿入式（ＰＣＩ／ＩＳＡ）拡充カードと積重ね式（ＰＣ１０４／１０４+）拡充カードとを混ぜて組立てた状態を示す断面図である。
【図５】本考案の一実施例による工業用パソコンの組立構造において三つの積重ね式（ＰＣ１０４／１０４+）拡充カードを組立てた状態を示す模式図である。
【図６】本考案の一実施例による工業用パソコンの組立構造において三つのカード挿入式（ＰＣＩ／ＩＳＡ）拡充カードを組立てた状態を示す模式図である。
【符号の説明】
【００１９】
１  台座、２  蓋体、３  メンボード組、４Ａ  拡充カード、４Ｂ  拡充カード、５  側蓋、１１  基板、１２  前板、１３  仕切り板、２１  上板、２２  後板、２３  側板、３１  メンボード、３２  電源組、３３  パソコンソケット、３４  ソケット、３５  ソケット、３６  転接カード、４１Ａ  拡充用ソケット、４１Ｂ  拡充用ソケット、５１  結合孔、１３１  貫通孔、２２１  貫通孔、３６１  拡充用ソケット、
Ａ  収容空間
【図１】
0003102510.tif 000003
【図２】
0003102510.tif 000004
【図３】
0003102510.tif 000005
【図４】
0003102510.tif 000006
【図５】
0003102510.tif 000007
【図６】
0003102510.tif 000008